(57)【要約】      （修正有）【課題】自動車のサイドウインドガラスから入射する太陽光、特に紫外線の入射を防止する自動車のサイドサンバイザーを提供する。【解決手段】円筒状のケース１１の軸心部に心棒を略同軸に配置して回転不能に固定し、該心棒に巻取り軸を回転可能に嵌合し、該巻取り軸に遮光シート１６を巻回するとともに、その先端を前記ケース１１の周壁に形成したスリット１２から外部に露出させ、前記巻取り軸を正逆回転させるモータ１５を設けてなる遮光装置１０を設け、該遮光装置１０をサイドウインドガラス３の上方に位置する車室１の上部壁に設ける。【選択図】図１
0003143496.tif 000002
【実用新案登録請求の範囲】
【請求項１】
円筒状のケース（１１）の軸心部に心棒（１３）を略同軸に配置して回転不能に固定し、該心棒（１３）に巻取り軸（１４）を回転可能に嵌合し、該巻取り軸（１４）に遮光シート（１６）を巻回するとともに、その先端を前記ケース（１１）の周壁に形成したスリット（１２）から外部に露出させ、前記巻取り軸（１４）を正逆回転させるモータ（１５）を設けてなる遮光装置（１０）を設け、該遮光装置（１０）をサイドウインドガラス（３）の上方に位置する車室（１）の上部壁に設けたことを特徴とする自動車のサイドサンバイザー。
【請求項２】
遮光シート（１６）は紫外線を遮断する透視性のシートとしたことを特徴とする請求項１記載の自動車のサイドサンバイザー。
【請求項３】
遮光シート（１６）の先端縁部に曲げ剛性を高くした補強部材（１７）を設けたことを特徴とする請求項１又は２記載の自動車のサイドサンバイザー。
【請求項４】
補強部材（１７）に車室（１）の壁部と係脱可能な係止具（１８）を設けたことを特徴とする請求項３記載の自動車のサイドサンバイザー。
【考案の詳細な説明】
【技術分野】
【０００１】
本考案は、自動車のサイドウインドガラスから入射する太陽光、特に紫外線の入射を防止する自動車のサイドサンバイザーに関するするものである。
【背景技術】
【０００２】
従来の技術として、特許文献１があった。即ち、車室のフロントガラスの上部に板状のフロントサンバイザーを対面させるとともに、該フロントサンバイザーを車室の上部壁に水平軸を中心として上下回動可能に連結し、前記フロントサンバイザーの外側端縁に板状のサイドサンバイザーを垂直軸を中心として回動可能に連結したものがあった。
【０００３】
前記特許文献１は、フロントサンバイザーを下方に回動（作動）させ、次いでサイドサンバイザーをサイドウインドガラス側（外側）に回動（作動）させると、フロントサンバイザーがフロントガラスの上部側から入射する太陽光を遮断し、サイドサンバイザーがサイドウインドガラスの上部側から入射する太陽光を遮断することになる。
【０００４】
前記特許文献１は、サイドサンバイザーを作動させる際には、フロントサンバイザーを作動させる必要があり、前部搭乗者の視野を不必要に制限することがあった。また、サイドサンバイザーがフロントサンバイザーに重ね折りされるようになっているため、該サイドサンバイザーの面積を大きくすることができず、該サイドサンバイザーはサイドウインドガラスの上部のみを覆うことになる。このため、前部搭乗者の腕部に向かって入射する太陽光を遮ることができず、該腕部の日焼けを防止することができないものであった。
【特許文献１】特開２００２−１１４０３１号公報
【考案の開示】
【考案が解決しようとする課題】
【０００５】
本考案は、フロントサンバイザーによる正面側の視野を阻害することなく、サイドウインドガラスから入射する太陽光を任意の面積で遮ることにより、横からの太陽光による眩しさ及び搭乗者の日焼けが防止できる自動車のサイドサンバイザーを得ることを目的とする。
【課題を解決するための手段】
【０００６】
請求項１に係る考案は、円筒状のケースの軸心部に心棒を略同軸に配置して回転不能に固定し、該心棒に巻取り軸を回転可能に嵌合し、該巻取り軸に遮光シートを巻回するとともに、その先端を前記ケースの周壁に形成したスリットから外部に露出させ、前記巻取り軸を正逆回転させるモータを設けてなる遮光装置を設け、該遮光装置をサイドウインドガラスの上方に位置する車室の上部壁に設ける構成にしたものである。請求項２に係る考案は、遮光シートを、紫外線を遮断する透視性のシートとしたものである。請求項３に係る発明は、遮光シートの先端縁部に曲げ剛性を高くした補強部材を設けたものである。請求項４に係る発明は、補強部材に車室の壁部と係脱可能な係止具を設けたものである。
【考案の効果】
【０００７】
請求項１に係る考案は、モータにより巻取り軸を巻き出し方向に回転させると、遮光シートがケースのスリットから巻き出されてサイドウインドガラスを内側から覆うことになる。この覆い量はモータの駆動量によって任意に調節することができる。これにより、サイドウインドガラスからの太陽光の入射範囲が遮光シートによって任意に調節され、搭乗者に対する太陽光の眩しさ及び搭乗者の日焼けを防止することになる。
【０００８】
請求項２に係る考案は、遮光シートによって紫外線が遮断され、搭乗者の日焼けを防止するとともに、該搭乗者は遮光シートを透して外部の景色を観ることができる。請求項３に係る発明は、遮光シートの先端縁部（下縁部）が補強部材によって補強され、サイドウインドガラスを開けた際に、外部からの風によるはためきが防止されることになる。請求項４に係る発明は、遮光シートの先端縁部（下縁部）が係止具によって車室の壁部に係止され、巻き出した遮光シートがサイドウインドガラスに接近し、遮蔽シートが搭乗者に当たらなくなるとともに、外部からの風によるはためきが確実に防止されることになる。
【考案を実施するための最良の形態】
【０００９】
以下本考案の実施の形態を図面に基いて説明する。図面において、図１は本考案の実施例を示す自動車の車室の斜視図、図２は遮光装置の拡大断面図である。
【００１０】
図１〜図２において、１は自動車の車室であり、前面にフロントガラス２、側面にサイドウインドガラス３（３ａ，３ｂ）を有し、車室の前部にハンドル５、シフトレバー６、前部座席７等が装備されている。前記サイドウインドガラス３は、前後のサイドドア４（４ａ，４ｂ）の上半部を開閉するようになっている。
【００１１】
前記フロントガラス２の上部壁（天井）に板状のフロントサンバイザー８を取付け、運転席７ａ（前部座席）側の前部サイドドア４ａの上部壁に遮光装置１０を取付ける。前記フロントサンバイザー８は、その外側上端部を連結具９により水平軸を中心として上下回動可能に連結する。
【００１２】
前記遮光装置１０は、図１、図２に示すようになっている。即ち、前記前部サイドドア４ａの前後幅に略対応する長さの大径かつ円筒状のケース１１を設け、該ケース１１の軸心部に心棒１３を略同軸に配置してその両端部を前記ケース１１の両端部に固定し、該心棒１３の外周の略全長に亘たって小径の巻取り軸１４を回転可能に嵌合する。
【００１３】
前記ケース１１の一端側に正逆回転可能なモータ１５を取り付け、該モータ１５の回転軸に前記巻取り軸１４を連結する。前記巻取り軸１４に遮光シート１６を巻き付けるとともに、その始端１６ａを巻取り軸１４に連結し、該遮光シート１６の先端部１６ｂを前記ケース１１の周壁に形成したスリット１２から外部に露出させる。前記遮光シート１６の前後幅及びスリット１２の前後の長さは、前部サイドウインドガラス３ａの前後幅に略対応させる。
【００１４】
前記モータ１５は、前部サイドドア４ａのサイドパネルに取り付けたスイッチ２０を操作することによって正転・逆転及び停止され、これにより、遮光シート１６の下端が前部サイドウインドガラス３ａの上下任意の位置に設定できるようになっている。
【００１５】
前記遮光シート１６は紫外線を遮断する透視性のシートからなり、該遮光シート１６の先端縁部（下端縁部）にロッド状の補強部材１７を連結し、該補強部材１７の自重で前記遮光シート１６を下方に引っ張るとともに、その先端部１６ｂの曲げ剛性を高くする。また、前記補強部材１７に吸盤からなる係止具１８を取り付け、該係止具１８を前部サイドウインドガラス３ａ（車室の壁部）に吸着させることにより、巻き出した遮光シート１６を前部サイドウインドガラス３ａに接近させて運転者に接触しないようにするとともに、巻き出した遮光シート１６が外部からの風ではためくのを防止する。
【００１６】
１９は遮光装置１０の取り付けブラケットであり、該ブラケット１９を介して遮光装置１０をサイドウインドガラス３が位置する車室１の上部壁１ａに取り付ける。なお、前記係止具１８は、遮光シート１６と下部の窓枠とに雄雌のホック、あるいは雌雄の面ファスナーを取り付けるようにしてもよい。また、前記前部サイドドア４ａを包囲する車室の前後の支柱部に、巻き出された遮光シート１６の両側を上下に案内するガイドを設けるようにしてもよい。
【図面の簡単な説明】
【００１７】
【図１】本考案の実施例を示す自動車の車室の斜視図である。
【図２】遮光装置の拡大断面図である。
【符号の説明】
【００１８】
１    自動車の車室
２    フロントガラス
３    サイドウインドガラス
４    サイドドア
４ａ  前部サイドドア
５    ハンドル
６    シフトレバー
７    前部シート
７ａ  運転席
８    フロントサンバイザー
９    連結具
１０    遮光装置
１１    ケース
１２    スリット
１３    心棒
１４    巻取り軸
１５    モータ
１６    遮光シート
１６ａ  始端
１６ｂ  先端部
１７    補強部材
１８    係止具
１９    取り付けブラケット
２０    スイッチ
【図１】
0003143496.tif 000003
【図２】
0003143496.tif 000004